(57)【要約】      （修正有）【課題】外側の歯茎や歯周ポケットと内側の歯茎や歯周ポケットを同時に清掃でき、しかも歯ブラシを細かく動かしてブラッシングすることが容易にできるようにした電動歯ブラシを提供する。【解決手段】使用者が片手で握ることのできる胴部と、柄の先端にブラシを設けて構成され、柄が胴部の先端部に着脱可能に取付けられ、ブラシが歯３３の頂面に当てられる中央歯ブラシ１３と、柄の先端にブラシを設けて構成され、中央歯ブラシの両側にて胴部の先端部に着脱可能にかつ歯周３１に向うように傾いて取付けられ、中央歯ブラシが歯の頂面に当てられた時に内側及び外側の歯周に当てられる両側歯ブラシ１１、１２と、胴部に内蔵され、中央歯ブラシ及び両側歯ブラシの少なくとも１つを振動させるか又は短いストロークで押し引きする駆動源と、を備える。【選択図】図５
2020168123.tif 000002
【特許請求の範囲】
【請求項１】
内外両側の歯周ポケットのプラークを同時に除去できるとともに、ブラシを細かく動かして内外両側の歯茎を同時にブラッシングすることができるようにした電動歯ブラシであって、
使用者が片手で握ることのできる胴部（１０）と、
柄（１３Ｂ）の先端にブラシ（１３Ａ）を設けて構成され、上記柄（１３Ｂ）が上記胴部（１０）の先端部に着脱可能に取付けられ、上記ブラシ（１３Ａ）が歯（３３）の頂面に当てられる中央歯ブラシ（１３）と、
柄（１１Ｂ、１２Ｂ）の先端にブラシ（１１Ａ、１２Ａ）を設けて構成され、上記中央歯ブラシ（１３）の両側にて上記胴部（１０）の先端部に着脱可能にかつ歯周（３１）に向うように傾いて取付けられ、上記中央歯ブラシ（１３）のブラシ（１３Ａ）が歯（３３）の頂面に当てられた時に内側及び外側の歯周（３１）に当てられる両側歯ブラシ（１１、１２）と、
上記胴部（１０）に内蔵され、上記中央歯ブラシ（１３）及び両側歯ブラシ（１１、１２）の少なくとも１つを振動させるか又は短いストロークで押し引きする駆動源と、
を備えたことを特徴とする電動歯ブラシ。
【請求項２】
上記駆動源が、
上記胴部（１０）内に設けられ、上記中央歯ブラシ（１３）の柄（１３Ｂ）に振動を加えることによって、歯（３３）の頂面に当てられた上記中央歯ブラシ（１３）のブラシ（１３Ａ）を振動させる振動子（２０）と、
上記胴部（１０）に内蔵された駆動モータ（２５）と、
先端が上記両側歯ブラシ（１１、１２）の柄（１１Ｂ、１２Ｂ）の後端に連結され、上記両側歯ブラシ（１１、１２）のブラシ（１１Ａ、１２Ａ）を所定の短いストロークで押し引きするスライダー（２１、２２）と、
表面の偏心した位置に連結ピン（２３Ａ）が突設され、該連結ピン（２３Ａ）に上記スライダー（２１、２２）の後端部が連結され、上記駆動モータ（２５）によって回転・逆転される回転体（２３）と、
から構成されている請求項１記載の電動歯ブラシ。
【発明の詳細な説明】
【技術分野】
【０００１】
本発明は電動歯ブラシに関し、特に歯茎の内側及び外側を適度な圧力によってブラッシングできるとともに、歯周ポケットのプラークを確実に除去できるようにした歯ブラシに関する。
【背景技術】
【０００２】
口腔の衛生状態が種々な病気を招来する１つの原因となることが知られるようになり、家庭内だけでなく、職場や旅行先などでも歯磨きを行うことが多くなった。歯ブラシには歯全体にわたってきめ細かい清掃ができることが求められ、電動歯ブラシが注目されている。
【０００３】
例えば、胴部にモータなどの駆動源を内蔵するとともに、胴部の先端に歯ブラシの柄を着脱可能に取付け、歯ブラシを歯に当てて駆動源によって回動させ振動させるようにした電動歯ブラシが提案されている（特許文献１、特許文献２）。
【先行技術文献】
【特許文献】
【０００４】
【特許文献１】特開２００５−２９６５１５号公報
【特許文献２】特表２００３−５３１６７２号公報
【発明の概要】
【発明が解決しようとする課題】
【０００５】
しかし、上記特許文献１、２記載の電動歯ブラシでは外側の歯茎や歯周ポケットと内側の歯茎や歯周ポケットを別々に清掃しなければならず、しかも歯ブラシを適切な力で細かく動かしてブラッシングする必要があって煩わしく、多くの場合には強い力で押し付けながら大きく動かしてブラッシングしてしまうことがあって歯茎を傷つけてしまうことがあった。
【０００６】
本発明はかかる問題点に鑑み、外側の歯茎や歯周ポケットと内側の歯茎や歯周ポケットを同時に清掃でき、しかも歯ブラシを細かく動かしてブラッシングすることが容易にできるようにした電動歯ブラシを提供することを課題とする。
【課題を解決するための手段】
【０００７】
そこで、本発明にかかる電動歯ブラシは、内外両側の歯周ポケットのプラークを同時に除去できるとともに、ブラシを細かく動かして内外両側の歯茎を同時にブラッシングすることができるようにした電動歯ブラシであって、使用者が片手で握ることのできる胴部と、柄の先端にブラシを設けて構成され、上記柄が上記胴部の先端部に着脱可能に取付けられ、上記ブラシが歯の頂面に当てられる中央歯ブラシと、柄の先端にブラシを設けて構成され、上記中央歯ブラシの両側にて上記胴部の先端部に着脱可能にかつ歯周に向うように傾いて取付けられ、上記中央歯ブラシのブラシが歯の頂面に当てられた時に内側及び外側の歯周に当てられる両側歯ブラシと、上記胴部に内蔵され、上記中央歯ブラシ及び両側歯ブラシの少なくとも１つを振動させるか又は短いストロークで押し引きする駆動源と、を備えたことを特徴とする。
【０００８】
本発明の特徴の１つは３つの歯ブラシを三角形の３つの頂点の位置に位置させ、中央歯ブラシを歯の頂面に当てると、両側歯ブラシが歯周の中側及び外側に当てられるようにした点にある。
これにより、外側及び内側の歯茎や歯周ポケットに同時に歯ブラシのブラシを当てることができ、外側の歯周ポケットと内側の歯周ポケットのプラークを同時に除去できる。しかも、歯ブラシを細かく動かして外側及び内側の歯茎を同時にブラッシングすることができる。
【０００９】
３つの歯ブラシは少なくとも１つに振動を加えるか、短いストロークで押し引きするようにすればよいが、中央歯ブラシに振動を与え、両側歯ブラシを短いストロークで押し引きするようにすると、歯周ポケットのプラークの除去と、外側及び内側の歯茎のブラッシングとを確実に行うことができる。
【００１０】
すなわち、駆動源を、
胴部内に設けられ、中央歯ブラシの柄に振動を加えることによって、歯の頂面に当てられたブラシを振動させる振動子と、胴部に内蔵された駆動モータと、先端が両側歯ブラシの柄の後端に連結され、両側歯ブラシのブラシを所定の短いストロークで押し引きするスライダーと、表面の偏心した位置に連結ピンが突設され、連結ピンにスライダーの後端部が連結され、駆動モータによって回転・逆転される回転体と、から構成するのがよい。
【図面の簡単な説明】
【００１１】
【図１】本発明にかかる電動歯ブラシの好ましい実施形態を示す平面図である。
【図２】上記実施形態を示す側面図である。
【図３】上記実施形態を示す断面平面図である。
【図４】上記実施形態を示す断面側面図である。
【図５】上記実施形態における歯、歯茎及び歯周ポケットに対する歯ブラシの状態を示す図である。
【図６】上記実施形態における歯ブラシとアタッチメントの関係を示す図である。
【発明を実施するための形態】
【００１２】
以下、本発明を図面に示す具体例に基づいて詳細に説明する。図１ないし図６は本発明に係る電動歯ブラシの好ましい実施形態を示す。図において、グリップ（胴部）１０はユーザーが片手で握ることのできる筒状をなし、グリップ１０の先端には差込み口１０Ａが形成され、差込み口１０Ａにはパッキン２８が設けられ、パッキン２８にはアタッチメント３０、２１、２２が差し込まれ、アタッチメント３０、２１、２２には歯ブラシ１１、１２、１３の柄１１Ｂ、１２Ｂ、１３Ｂが差し込まれてアタッチメント３０、２１、２２と柄１１Ｂ、１２Ｂ、１３Ｂの凹凸（例えば、図６の１１Ｃ）の嵌合によって抜け止めされ、又図５に示されるように、中央の歯ブラシ１３は歯３３の頂面に向うように設定され、両側の歯ブラシ１１、１２は歯周３１に向うように傾斜されている。
【００１３】
また、グリップ１０の先端部には隙間調整ねじ１７、１８及び上下調整ねじ２７が設けられ、隙間調整ねじ１７、１８によって中央歯ブラシ１３に対する両側歯ブラシ１１、１２の隙間を調整でき、上下調整ねじ２７によって中央歯ブラシ１３の上下位置を調整できるようになっている。
【００１４】
また、グリップ１０内には振動子２０が内蔵され、振動子２０は中央歯ブラシ１３の柄１３Ｂに振動を与えるようになっている。
【００１５】
さらに、グリップ１０内には駆動モータ２５が内蔵され、駆動モータ２５の回転軸には減速機２４が連結され、減速機２４の出力軸には例えば一対の傘歯車と出力ローラからなる伝達機構２９が接続され、減速機２４の出力は回転体２３に伝達されるようになっている。
【００１６】
回転体２３の上面及び下面に回転板２３Ｂが固定され、上下の回転板２３Ｂの偏心した位置には連結ピン２３Ａが突設され、連結ピン２３Ａには両側歯ブラシ１１、１２のアタッチメント（スライダー）２１、２３の後端部が回転自在に連結され、駆動モータ２５によって回転・逆転され、両側歯ブラシ１１、１２が所定の短いストロークで押し引きされるようになっている。
【００１７】
また、グリップ１０内にはバッテリ２６が内蔵され、グリップ１０の先端部外面には振動スイッチ１９及びスライドスイッチ２０が設けられ、スイッチ操作によって中央歯ブラシ１３に振動を与え、両側歯ブラシ１１、１２を短いストロークで押し引きさせるようになっている。
【００１８】
電動歯ブラシを使用する場合、グリップ１０を片手に握り、３本の歯ブラシ１１、１２、１３を口腔に差し込み、中央歯ブラシ１３のブラシ１３Ａを歯３３の頂面に当てると、図５に示されるように、左右の歯ブラシ１１、１２のブラシ１１Ａ、１２Ａを歯周３１及び歯茎３２に所定の角度を持って傾斜させかつ中央歯ブラシ１３のブラシ１３Ａによって押付け力を調節された状態で当てることができる。
【００１９】
かかる状態で振動スイッチ１９及びスライドスイッチ２０をＯＮさせると、振動する中央歯ブラシ１３のブラシ１３Ａによって歯３３の頂面を磨くことができ、同時に短いストロークで押し引きされる両側歯ブラシ１１、１２のブラシ１１Ａ、１２Ｂによって中央歯ブラシ１３のブラシ１３Ａによって適切な圧力でブラッシングされるとともに、歯周３１のポケットのプラークを確実に除去することができる。
【符号の説明】
【００２０】
１０      グリップ（胴部）
１１、１２      両側歯ブラシ
１１Ａ、１２Ａ      ブラシ
１１Ｂ、１２Ｂ      柄
１３      中央歯ブラシ
１３Ａ    ブラシ
１１Ｂ    柄
１４、１５、１６      アタッチメント
２３      回転体
２３Ａ      連結ピン
２３Ｂ      回転板
２４        減速機
２５        駆動モータ
３１        歯周
３２        歯茎
３３        歯
４０        振動子
【図１】
2020168123.tif 000003
【図２】
2020168123.tif 000004
【図３】
2020168123.tif 000005
【図４】
2020168123.tif 000006
【図５】
2020168123.tif 000007
【図６】
2020168123.tif 000008